【手続補正書】
【提出日】令和2年6月23日(2020.6.23)
【手続補正１】
【補正対象書類名】特許請求の範囲
【補正対象項目名】全文
【補正方法】変更
【補正の内容】
【特許請求の範囲】
【請求項１】
ハイダイナミックレンジおよび／または広色域（ＨＤＲ／ＷＣＧ）ビデオデータを処理する方法であって、前記方法は、
前記ＨＤＲ／ＷＣＧビデオデータのブロックの量子化された変換係数のための量子化パラメータを決定することと、
非量子化変換係数を決定するために、前記決定された量子化パラメータに基づいて前記量子化された変換係数を逆量子化することと、
前記非量子化変換係数に基づいて、前記ＨＤＲ／ＷＣＧビデオデータの前記ブロックのための残差値のブロックを決定することと、
前記残差値のブロックに基づいて、前記ＨＤＲ／ＷＣＧビデオデータの前記ブロックのための再構成されたブロックを決定することと、
前記ＨＤＲ／ＷＣＧビデオデータの前記ブロックのための１つまたは複数のダイナミックレンジ調整（ＤＲＡ）パラメータを決定することと、ここにおいて、前記ＨＤＲ／ＷＣＧビデオデータの前記ブロックのための前記１つまたは複数のＤＲＡパラメータは、前記ＨＤＲ／ＷＣＧビデオデータの前記ブロックのクロマ成分のためのスケーリングパラメータと、前記ＨＤＲ／ＷＣＧビデオデータの前記ブロックの前記クロマ成分のためのオフセットパラメータと、を備える、
１つまたは複数の調整されたＤＲＡパラメータを決定するために、前記決定された量子化パラメータに基づいて前記１つまたは複数のＤＲＡパラメータを調整することと、ここにおいて、前記ＨＤＲ／ＷＣＧビデオデータの前記ブロックのための前記１つまたは複数の調整されたＤＲＡパラメータは、前記ＨＤＲ／ＷＣＧビデオデータの前記ブロックの前記クロマ成分のための調整されたスケーリングパラメータと、前記ＨＤＲ／ＷＣＧビデオデータの前記ブロックの前記クロマ成分のための調整されたオフセットパラメータと、を備える、
前記１つまたは複数の調整されたＤＲＡパラメータを使用して、前記ＨＤＲ／ＷＣＧビデオデータの前記再構成されたブロックに対してＤＲＡを実行することと、
を備える、方法。
【請求項２】
前記ＨＤＲ／ＷＣＧビデオデータの前記ブロックのための前記１つまたは複数のＤＲＡパラメータは、前記ＨＤＲ／ＷＣＧビデオデータの前記ブロックのルーマ成分のためのスケーリングパラメータと、前記ＨＤＲ／ＷＣＧビデオデータの前記ブロックの前記ルーマ成分のためのオフセットパラメータと、をさらに備え、前記ＨＤＲ／ＷＣＧビデオデータの前記ブロックのための前記１つまたは複数の調整されたＤＲＡパラメータは、前記ＨＤＲ／ＷＣＧビデオデータの前記ブロックの前記ルーマ成分のための調整されたスケーリングパラメータと、前記ＨＤＲ／ＷＣＧビデオデータの前記ブロックの前記ルーマ成分のための調整されたオフセットパラメータと、をさらに備える、請求項１に記載の方法。
【請求項３】
前記１つまたは複数の調整されたＤＲＡパラメータは、前記ＨＤＲ／ＷＣＧビデオデータの前記ブロックのルーマ成分のための調整されたＤＲＡパラメータと、前記ＨＤＲ／ＷＣＧビデオデータの前記ブロックの第１のクロマ成分のための調整されたＤＲＡパラメータと、前記ＨＤＲ／ＷＣＧビデオデータの前記ブロックの第２のクロマ成分のための調整されたＤＲＡパラメータと、を備える、請求項２に記載の方法。
【請求項４】
前記１つまたは複数の調整されたＤＲＡパラメータは、前記ＨＤＲ／ＷＣＧビデオデータの前記ブロックの第１のクロマ成分のための調整されたＤＲＡパラメータと、前記ＨＤＲ／ＷＣＧビデオデータの前記ブロックの第２のクロマ成分のための調整されたＤＲＡパラメータと、を備える、請求項１に記載の方法。
【請求項５】
前記ＨＤＲ／ＷＣＧビデオデータの前記ブロックのための前記１つまたは複数のＤＲＡパラメータを決定することは、前記１つまたは複数のＤＲＡパラメータの指示を、前記ＨＤＲ／ＷＣＧビデオデータ中のシンタックス要素として受信することを備える、請求項１に記載の方法。
【請求項６】
前記ＨＤＲ／ＷＣＧビデオデータの前記再構成されたブロックは、前記再構成されたブロックのフィルタリングされたバージョンを備える、請求項１に記載の方法。
【請求項７】
前記ＨＤＲ／ＷＣＧビデオデータの前記ブロックのための前記１つまたは複数のＤＲＡパラメータを決定することは、前記ＨＤＲ／ＷＣＧビデオデータの前記ブロックのルーマ成分のための量子化パラメータと前記ＨＤＲ／ＷＣＧビデオデータの前記ブロックのクロマ成分のための量子化パラメータとの間の依存性に基づいて、前記ＨＤＲ／ＷＣＧビデオデータの前記ブロックのための前記１つまたは複数のＤＲＡパラメータのうちの少なくとも１つを導出することを備える、請求項１に記載の方法。
【請求項８】
前記ＨＤＲ／ＷＣＧビデオデータの前記ブロックの前記ルーマ成分のための前記量子化パラメータと前記ＨＤＲ／ＷＣＧビデオデータの前記ブロックの前記クロマ成分のための前記量子化パラメータとの間の前記依存性に基づいて、前記ＨＤＲ／ＷＣＧビデオデータの前記ブロックのための前記１つまたは複数のＤＲＡパラメータのうちの前記少なくとも１つを導出することは、ＱＰ−ＤＲＡスケール変換（QP to DRA scale conversion）を実行することによって、前記１つまたは複数のＤＲＡパラメータのうちの前記少なくとも１つを導出することを備える、請求項７に記載の方法。
【請求項９】
前記ＨＤＲ／ＷＣＧビデオデータの前記ブロックの前記ルーマ成分のための前記量子化パラメータと前記ＨＤＲ／ＷＣＧビデオデータの前記ブロックの前記クロマ成分のための前記量子化パラメータとの間の前記依存性に基づいて、前記ＨＤＲ／ＷＣＧビデオデータの前記ブロックのための前記１つまたは複数のＤＲＡパラメータのうちの前記少なくとも１つを導出することは、ＤＲＡスケール−ＱＰ変換（DRA scale to QP conversion）を実行することによって、前記１つまたは複数のＤＲＡパラメータのうちの前記少なくとも１つを導出することを備える、請求項７に記載の方法。
【請求項１０】
前記ルーマ成分のための前記量子化パラメータと前記クロマ成分のための前記量子化パラメータとの間の前記依存性は、コーデックによって定義される、請求項７に記載の方法。
【請求項１１】
前記方法は、
前記ＨＤＲ／ＷＣＧビデオデータ中のシンタックス要素を受信することをさらに備え、前記シンタックス要素のための値は、前記ＨＤＲ／ＷＣＧビデオデータの前記ブロックの前記ルーマ成分のための前記量子化パラメータと前記ＨＤＲ／ＷＣＧビデオデータの前記ブロックの前記クロマ成分のための前記量子化パラメータとの間の前記依存性を定義する、
請求項７に記載の方法。
【請求項１２】
復号する前記方法は、符号化プロセスの一部として実行される、請求項７に記載の方法。
【請求項１３】
ハイダイナミックレンジおよび／または広色域（ＨＤＲ／ＷＣＧ）ビデオデータを処理するためのデバイスであって、前記デバイスは、
ビデオデータを記憶するように構成されたメモリと、
前記メモリに結合された１つまたは複数のプロセッサと、を備え、前記１つまたは複数のプロセッサは、
前記ＨＤＲ／ＷＣＧビデオデータのブロックの量子化された変換係数のための量子化パラメータを決定することと、
非量子化変換係数を決定するために、前記決定された量子化パラメータに基づいて前記量子化された変換係数を逆量子化することと、
前記非量子化変換係数に基づいて、前記ＨＤＲ／ＷＣＧビデオデータの前記ブロックのための残差値のブロックを決定することと、
前記残差値のブロックに基づいて、前記ＨＤＲ／ＷＣＧビデオデータの前記ブロックのための再構成されたブロックを決定することと、
前記ＨＤＲ／ＷＣＧビデオデータの前記ブロックのための１つまたは複数のダイナミックレンジ調整（ＤＲＡ）パラメータを決定することと、ここにおいて、前記ＨＤＲ／ＷＣＧビデオデータの前記ブロックのための前記１つまたは複数のＤＲＡパラメータは、前記ＨＤＲ／ＷＣＧビデオデータの前記ブロックのクロマ成分のためのスケーリングパラメータと、前記ＨＤＲ／ＷＣＧビデオデータの前記ブロックの前記クロマ成分のためのオフセットパラメータと、を備える、
１つまたは複数の調整されたＤＲＡパラメータを決定するために、前記決定された量子化パラメータに基づいて前記１つまたは複数のＤＲＡパラメータを調整することと、ここにおいて、前記ＨＤＲ／ＷＣＧビデオデータの前記ブロックのための前記１つまたは複数の調整されたＤＲＡパラメータは、前記ＨＤＲ／ＷＣＧビデオデータの前記ブロックの前記クロマ成分のための調整されたスケーリングパラメータと、前記ＨＤＲ／ＷＣＧビデオデータの前記ブロックの前記クロマ成分のための調整されたオフセットパラメータと、を備える、
前記１つまたは複数の調整されたＤＲＡパラメータを使用して、前記ＨＤＲ／ＷＣＧビデオデータの前記再構成されたブロックに対してＤＲＡを実行することと、
を行うように構成された、デバイス。
【請求項１４】
前記ＨＤＲ／ＷＣＧビデオデータの前記ブロックのための前記１つまたは複数のＤＲＡパラメータは、前記ＨＤＲ／ＷＣＧビデオデータの前記ブロックのルーマ成分のためのスケーリングパラメータと、前記ＨＤＲ／ＷＣＧビデオデータの前記ブロックの前記ルーマ成分のためのオフセットパラメータと、をさらに備え、前記ＨＤＲ／ＷＣＧビデオデータの前記ブロックのための前記１つまたは複数の調整されたＤＲＡパラメータは、前記ＨＤＲ／ＷＣＧビデオデータの前記ブロックの前記ルーマ成分のための調整されたスケーリングパラメータと、前記ＨＤＲ／ＷＣＧビデオデータの前記ブロックの前記ルーマ成分のための調整されたオフセットパラメータと、をさらに備える、請求項１３に記載のデバイス。
【請求項１５】
前記１つまたは複数の調整されたＤＲＡパラメータは、前記ＨＤＲ／ＷＣＧビデオデータの前記ブロックのルーマ成分のための調整されたＤＲＡパラメータと、前記ＨＤＲ／ＷＣＧビデオデータの前記ブロックの第１のクロマ成分のための調整されたＤＲＡパラメータと、前記ＨＤＲ／ＷＣＧビデオデータの前記ブロックの第２のクロマ成分のための調整されたＤＲＡパラメータと、を備える、請求項１４に記載のデバイス。
【請求項１６】
前記１つまたは複数の調整されたＤＲＡパラメータは、前記ＨＤＲ／ＷＣＧビデオデータの前記ブロックの第１のクロマ成分のための調整されたＤＲＡパラメータと、前記ＨＤＲ／ＷＣＧビデオデータの前記ブロックの第２のクロマ成分のための調整されたＤＲＡパラメータと、を備える、請求項１３に記載のデバイス。
【請求項１７】
前記ＨＤＲ／ＷＣＧビデオデータの前記ブロックのための前記１つまたは複数のＤＲＡパラメータを決定するために、前記１つまたは複数のプロセッサは、前記１つまたは複数のＤＲＡパラメータの指示を、前記ＨＤＲ／ＷＣＧビデオデータ中のシンタックス要素として受信するように構成される、請求項１３に記載のデバイス。
【請求項１８】
前記ＨＤＲ／ＷＣＧビデオデータの前記再構成されたブロックは、前記再構成されたブロックのフィルタリングされたバージョンを備える、請求項１３に記載のデバイス。
【請求項１９】
前記ＨＤＲ／ＷＣＧビデオデータの前記ブロックのための前記１つまたは複数のＤＲＡパラメータを決定するために、前記１つまたは複数のプロセッサは、前記ＨＤＲ／ＷＣＧビデオデータの前記ブロックのルーマ成分のための量子化パラメータと前記ＨＤＲ／ＷＣＧビデオデータの前記ブロックのクロマ成分のための量子化パラメータとの間の依存性に基づいて、前記ＨＤＲ／ＷＣＧビデオデータの前記ブロックのための前記１つまたは複数のＤＲＡパラメータのうちの少なくとも１つを導出するように構成される、請求項１３に記載のデバイス。
【請求項２０】
前記ＨＤＲ／ＷＣＧビデオデータの前記ブロックの前記ルーマ成分のための前記量子化パラメータと前記ＨＤＲ／ＷＣＧビデオデータの前記ブロックの前記クロマ成分のための前記量子化パラメータとの間の前記依存性に基づいて、前記ＨＤＲ／ＷＣＧビデオデータの前記ブロックのための前記１つまたは複数のＤＲＡパラメータのうちの前記少なくとも１つを導出するために、前記１つまたは複数のプロセッサは、ＱＰ−ＤＲＡスケール変換（QP to DRA scale conversion）を実行することによって、前記１つまたは複数のＤＲＡパラメータのうちの前記少なくとも１つを導出するように構成される、請求項１９に記載のデバイス。
【請求項２１】
前記ＨＤＲ／ＷＣＧビデオデータの前記ブロックの前記ルーマ成分のための前記量子化パラメータと前記ＨＤＲ／ＷＣＧビデオデータの前記ブロックの前記クロマ成分のための前記量子化パラメータとの間の前記依存性に基づいて、前記ＨＤＲ／ＷＣＧビデオデータの前記ブロックのための前記１つまたは複数のＤＲＡパラメータのうちの前記少なくとも１つを導出するために、前記１つまたは複数のプロセッサは、ＤＲＡスケール−ＱＰ変換（DRA scale to QP conversion）を実行することによって、前記１つまたは複数のＤＲＡパラメータのうちの前記少なくとも１つを導出するように構成される、請求項１９に記載のデバイス。
【請求項２２】
前記ルーマ成分のための前記量子化パラメータと前記クロマ成分のための前記量子化パラメータとの間の前記依存性は、コーデックによって定義される、請求項１９に記載のデバイス。
【請求項２３】
前記１つまたは複数のプロセッサは、
前記ＨＤＲ／ＷＣＧビデオデータ中のシンタックス要素を受信するようにさらに構成され、前記シンタックス要素のための値は、前記ＨＤＲ／ＷＣＧビデオデータの前記ブロックの前記ルーマ成分のための前記量子化パラメータと前記ＨＤＲ／ＷＣＧビデオデータの前記ブロックの前記クロマ成分のための前記量子化パラメータとの間の前記依存性を定義する、
請求項１９に記載のデバイス。
【請求項２４】
前記デバイスは、ワイヤレス通信デバイスを備え、符号化されたビデオデータを受信するように構成された受信機をさらに備える、請求項１３に記載のデバイス。
【請求項２５】
前記ワイヤレス通信デバイスは、電話ハンドセットを備え、前記受信機は、ワイヤレス通信規格に従って前記符号化されたビデオデータを備える信号を復調するように構成される、請求項２４に記載のデバイス。
【請求項２６】
前記デバイスは、ワイヤレス通信デバイスを備え、符号化されたビデオデータを送信するように構成された送信機をさらに備える、請求項１３に記載のデバイス。
【請求項２７】
前記ワイヤレス通信デバイスは、電話ハンドセットを備え、前記送信機は、ワイヤレス通信規格に従って、前記符号化されたビデオデータを備える信号を変調するように構成される、請求項２６に記載のデバイス。
【請求項２８】
命令を記憶するコンピュータ可読記憶媒体であって、前記命令は、１つまたは複数のプロセッサによって実行されると、前記１つまたは複数のプロセッサに、
ハイダイナミックレンジおよび／または広色域（ＨＤＲ／ＷＣＧ）ビデオデータのブロックの量子化された変換係数のための量子化パラメータを決定することと、
非量子化変換係数を決定するために、前記決定された量子化パラメータに基づいて前記量子化された変換係数を逆量子化することと、
前記非量子化変換係数に基づいて、前記ＨＤＲ／ＷＣＧビデオデータの前記ブロックのための残差値のブロックを決定することと、
前記残差値のブロックに基づいて、前記ＨＤＲ／ＷＣＧビデオデータの前記ブロックのための再構成されたブロックを決定することと、
前記ＨＤＲ／ＷＣＧビデオデータの前記ブロックのための１つまたは複数のダイナミックレンジ調整（ＤＲＡ）パラメータを決定することと、ここにおいて、前記ＨＤＲ／ＷＣＧビデオデータの前記ブロックのための前記１つまたは複数のＤＲＡパラメータは、前記ＨＤＲ／ＷＣＧビデオデータの前記ブロックのクロマ成分のためのスケーリングパラメータと、前記ＨＤＲ／ＷＣＧビデオデータの前記ブロックの前記クロマ成分のためのオフセットパラメータと、を備える、
１つまたは複数の調整されたＤＲＡパラメータを決定するために、前記決定された量子化パラメータに基づいて前記１つまたは複数のＤＲＡパラメータを調整することと、ここにおいて、前記ＨＤＲ／ＷＣＧビデオデータの前記ブロックのための前記１つまたは複数の調整されたＤＲＡパラメータは、前記ＨＤＲ／ＷＣＧビデオデータの前記ブロックの前記クロマ成分のための調整されたスケーリングパラメータと、前記ＨＤＲ／ＷＣＧビデオデータの前記ブロックの前記クロマ成分のための調整されたオフセットパラメータと、を備える、
前記１つまたは複数の調整されたＤＲＡパラメータを使用して、前記ＨＤＲ／ＷＣＧビデオデータの前記再構成されたブロックに対してＤＲＡを実行することと
を行わせる、コンピュータ可読記憶媒体。
【請求項２９】
ハイダイナミックレンジおよび／または広色域（ＨＤＲ／ＷＣＧ）ビデオデータを処理するための装置であって、前記デバイスは、
前記ＨＤＲ／ＷＣＧビデオデータのブロックの量子化された変換係数のための量子化パラメータを決定するための手段と、
非量子化変換係数を決定するために、前記決定された量子化パラメータに基づいて前記量子化された変換係数を逆量子化するための手段と、
前記非量子化変換係数に基づいて、前記ＨＤＲ／ＷＣＧビデオデータの前記ブロックのための残差値のブロックを決定するための手段と、
前記残差値のブロックに基づいて、前記ＨＤＲ／ＷＣＧビデオデータの前記ブロックのための再構成されたブロックを決定するための手段と、
前記ＨＤＲ／ＷＣＧビデオデータの前記ブロックのための１つまたは複数のダイナミックレンジ調整（ＤＲＡ）パラメータを決定するための手段と、ここにおいて、前記ＨＤＲ／ＷＣＧビデオデータの前記ブロックのための前記１つまたは複数のＤＲＡパラメータは、前記ＨＤＲ／ＷＣＧビデオデータの前記ブロックのクロマ成分のためのスケーリングパラメータと、前記ＨＤＲ／ＷＣＧビデオデータの前記ブロックの前記クロマ成分のためのオフセットパラメータと、を備える、
１つまたは複数の調整されたＤＲＡパラメータを決定するために、前記決定された量子化パラメータに基づいて前記１つまたは複数のＤＲＡパラメータを調整するための手段と、ここにおいて、前記ＨＤＲ／ＷＣＧビデオデータの前記ブロックのための前記１つまたは複数の調整されたＤＲＡパラメータは、前記ＨＤＲ／ＷＣＧビデオデータの前記ブロックの前記クロマ成分のための調整されたスケーリングパラメータと、前記ＨＤＲ／ＷＣＧビデオデータの前記ブロックの前記クロマ成分のための調整されたオフセットパラメータと、を備える、
前記１つまたは複数の調整されたＤＲＡパラメータを使用して、前記ＨＤＲ／ＷＣＧビデオデータの前記再構成されたブロックに対してＤＲＡを実行するための手段と、
を備える、装置。
【手続補正２】
【補正対象書類名】明細書
【補正対象項目名】０１８５
【補正方法】変更
【補正の内容】
【０１８５】
[0162]  様々な例が説明された。これらの例および他の例は、以下の請求項の範囲内にある。
以下に本願の出願当初の特許請求の範囲に記載された発明を付記する。
［Ｃ１］
ハイダイナミックレンジおよび／または広色域（ＨＤＲ／ＷＣＧ）ビデオデータを処理する方法であって、前記方法は、
前記ＨＤＲ／ＷＣＧビデオデータのブロックの量子化された変換係数のための量子化パラメータを決定することと、
非量子化変換係数を決定するために、前記決定された量子化パラメータに基づいて前記量子化された変換係数を逆量子化することと、
前記非量子化変換係数に基づいて、前記ＨＤＲ／ＷＣＧビデオデータの前記ブロックのための残差値のブロックを決定することと、
前記残差値のブロックに基づいて、前記ＨＤＲ／ＷＣＧビデオデータの前記ブロックのための再構成されたブロックを決定することと、
前記ＨＤＲ／ＷＣＧビデオデータの前記ブロックのための１つまたは複数のダイナミックレンジ調整（ＤＲＡ）パラメータを決定することと、
１つまたは複数の調整されたＤＲＡパラメータを決定するために、前記決定された量子化パラメータに基づいて前記１つまたは複数のＤＲＡパラメータを調整することと、
前記１つまたは複数の調整されたＤＲＡパラメータを使用して、前記ＨＤＲ／ＷＣＧビデオデータの前記再構成されたブロックに対してＤＲＡを実行することと、
を備える、方法。
［Ｃ２］
前記ＨＤＲ／ＷＣＧビデオデータの前記ブロックのための前記１つまたは複数のＤＲＡパラメータは、前記ＨＤＲ／ＷＣＧビデオデータの前記ブロックのルーマ成分のためのスケーリングパラメータと、前記ＨＤＲ／ＷＣＧビデオデータの前記ブロックの前記ルーマ成分のためのオフセットパラメータとを備え、前記ＨＤＲ／ＷＣＧビデオデータの前記ブロックのための前記１つまたは複数の調整されたＤＲＡパラメータは、前記ＨＤＲ／ＷＣＧビデオデータの前記ブロックの前記ルーマ成分のための調整されたスケーリングパラメータと、前記ＨＤＲ／ＷＣＧビデオデータの前記ブロックの前記ルーマ成分のための調整されたオフセットパラメータと、を備える、Ｃ１に記載の方法。
［Ｃ３］
前記ＨＤＲ／ＷＣＧビデオデータの前記ブロックのための前記１つまたは複数のＤＲＡパラメータは、前記ＨＤＲ／ＷＣＧビデオデータの前記ブロックのクロマ成分のためのスケーリングパラメータと、前記ＨＤＲ／ＷＣＧビデオデータの前記ブロックの前記クロマ成分のためのオフセットパラメータとを備え、前記ＨＤＲ／ＷＣＧビデオデータの前記ブロックのための前記１つまたは複数の調整されたＤＲＡパラメータは、前記ＨＤＲ／ＷＣＧビデオデータの前記ブロックの前記クロマ成分のための調整されたスケーリングパラメータと、前記ＨＤＲ／ＷＣＧビデオデータの前記ブロックの前記クロマ成分のための調整されたオフセットパラメータと、を備える、Ｃ１に記載の方法。
［Ｃ４］
前記１つまたは複数の調整されたＤＲＡパラメータは、前記ＨＤＲ／ＷＣＧビデオデータの前記ブロックの第１のクロマ成分のための調整されたＤＲＡパラメータと、前記ＨＤＲ／ＷＣＧビデオデータの前記ブロックの第２のクロマ成分のための調整されたＤＲＡパラメータと、を備える、Ｃ１に記載の方法。
［Ｃ５］
前記１つまたは複数の調整されたＤＲＡパラメータは、前記ＨＤＲ／ＷＣＧビデオデータの前記ブロックのルーマ成分のための調整されたＤＲＡパラメータと、前記ＨＤＲ／ＷＣＧビデオデータの前記ブロックの第１のクロマ成分のための調整されたＤＲＡパラメータと、前記ＨＤＲ／ＷＣＧビデオデータの前記ブロックの第２のクロマ成分のための調整されたＤＲＡパラメータと、を備える、Ｃ１に記載の方法。
［Ｃ６］
前記ＨＤＲ／ＷＣＧビデオデータの前記ブロックのための前記１つまたは複数のＤＲＡパラメータを決定することは、前記１つまたは複数のＤＲＡパラメータの指示を、前記ＨＤＲ／ＷＣＧビデオデータ中のシンタックス要素として受信することを備える、Ｃ１に記載の方法。
［Ｃ７］
前記ＨＤＲ／ＷＣＧビデオデータの前記再構成されたブロックは、前記再構成されたブロックのフィルタリングされたバージョンを備える、Ｃ１に記載の方法。
［Ｃ８］
前記ＨＤＲ／ＷＣＧビデオデータの前記ブロックのための前記１つまたは複数のＤＲＡパラメータを決定することは、前記ＨＤＲ／ＷＣＧビデオデータの前記ブロックのルーマ成分のための量子化パラメータと前記ＨＤＲ／ＷＣＧビデオデータの前記ブロックのクロマ成分のための量子化パラメータとの間の依存性に基づいて、前記ＨＤＲ／ＷＣＧビデオデータの前記ブロックのための前記１つまたは複数のＤＲＡパラメータのうちの少なくとも１つを導出することを備える、Ｃ１に記載の方法。
［Ｃ９］
前記ＨＤＲ／ＷＣＧビデオデータの前記ブロックの前記ルーマ成分のための前記量子化パラメータと前記ＨＤＲ／ＷＣＧビデオデータの前記ブロックの前記クロマ成分のための前記量子化パラメータとの間の前記依存性に基づいて、前記ＨＤＲ／ＷＣＧビデオデータの前記ブロックのための前記１つまたは複数のＤＲＡパラメータのうちの前記少なくとも１つを導出することは、ＱＰ−ＤＲＡスケール変換（QP to DRA scale conversion）を実行することによって、前記１つまたは複数のＤＲＡパラメータのうちの前記少なくとも１つを導出することを備える、Ｃ８に記載の方法。
［Ｃ１０］
前記ＨＤＲ／ＷＣＧビデオデータの前記ブロックの前記ルーマ成分のための前記量子化パラメータと前記ＨＤＲ／ＷＣＧビデオデータの前記ブロックの前記クロマ成分のための前記量子化パラメータとの間の前記依存性に基づいて、前記ＨＤＲ／ＷＣＧビデオデータの前記ブロックのための前記１つまたは複数のＤＲＡパラメータのうちの前記少なくとも１つを導出することは、ＤＲＡスケール−ＱＰ変換（DRA scale to QP conversion）を実行することによって、前記１つまたは複数のＤＲＡパラメータのうちの前記少なくとも１つを導出することを備える、Ｃ８に記載の方法。
［Ｃ１１］
前記ルーマ成分のための前記量子化パラメータと前記クロマ成分のための前記量子化パラメータとの間の前記依存性は、コーデックによって定義される、Ｃ８に記載の方法。
［Ｃ１２］
前記方法は、
前記ＨＤＲ／ＷＣＧビデオデータ中のシンタックス要素を受信することをさらに備え、前記シンタックス要素のための値は、前記ＨＤＲ／ＷＣＧビデオデータの前記ブロックの前記ルーマ成分のための前記量子化パラメータと前記ＨＤＲ／ＷＣＧビデオデータの前記ブロックの前記クロマ成分のための前記量子化パラメータとの間の前記依存性を定義する、
Ｃ８に記載の方法。
［Ｃ１３］
復号する前記方法は、符号化プロセスの一部として実行される、Ｃ８に記載の方法。
［Ｃ１４］
ハイダイナミックレンジおよび／または広色域（ＨＤＲ／ＷＣＧ）ビデオデータを処理するためのデバイスであって、前記デバイスは、
ビデオデータを記憶するように構成されたメモリと、
前記メモリに結合された1つまたは複数のプロセッサと、を備え、前記1つ又は複数のプロセッサは、
前記ＨＤＲ／ＷＣＧビデオデータのブロックの量子化された変換係数のための量子化パラメータを決定することと、
非量子化変換係数を決定するために、前記決定された量子化パラメータに基づいて前記量子化された変換係数を逆量子化することと、
前記非量子化変換係数に基づいて、前記ＨＤＲ／ＷＣＧビデオデータの前記ブロックのための残差値のブロックを決定することと、
前記残差値のブロックに基づいて、前記ＨＤＲ／ＷＣＧビデオデータの前記ブロックのための再構成されたブロックを決定することと、
前記ＨＤＲ／ＷＣＧビデオデータの前記ブロックのための１つまたは複数のダイナミックレンジ調整（ＤＲＡ）パラメータを決定することと、
１つまたは複数の調整されたＤＲＡパラメータを決定するために、前記決定された量子化パラメータに基づいて前記１つまたは複数のＤＲＡパラメータを調整することと、
前記１つまたは複数の調整されたＤＲＡパラメータを使用して、前記ＨＤＲ／ＷＣＧビデオデータの前記再構成されたブロックに対してＤＲＡを実行することと、
を行うように構成された、デバイス。
［Ｃ１５］
前記ＨＤＲ／ＷＣＧビデオデータの前記ブロックのための前記１つまたは複数のＤＲＡパラメータは、前記ＨＤＲ／ＷＣＧビデオデータの前記ブロックのルーマ成分のためのスケーリングパラメータと、前記ＨＤＲ／ＷＣＧビデオデータの前記ブロックの前記ルーマ成分のためのオフセットパラメータとを備え、前記ＨＤＲ／ＷＣＧビデオデータの前記ブロックのための前記１つまたは複数の調整されたＤＲＡパラメータは、前記ＨＤＲ／ＷＣＧビデオデータの前記ブロックの前記ルーマ成分のための調整されたスケーリングパラメータと、前記ＨＤＲ／ＷＣＧビデオデータの前記ブロックの前記ルーマ成分のための調整されたオフセットパラメータと、を備える、Ｃ１４に記載のデバイス。
［Ｃ１６］
前記ＨＤＲ／ＷＣＧビデオデータの前記ブロックのための前記１つまたは複数のＤＲＡパラメータは、前記ＨＤＲ／ＷＣＧビデオデータの前記ブロックのクロマ成分のためのスケーリングパラメータと、前記ＨＤＲ／ＷＣＧビデオデータの前記ブロックの前記クロマ成分のためのオフセットパラメータとを備え、前記ＨＤＲ／ＷＣＧビデオデータの前記ブロックのための前記１つまたは複数の調整されたＤＲＡパラメータは、前記ＨＤＲ／ＷＣＧビデオデータの前記ブロックの前記クロマ成分のための調整されたスケーリングパラメータと、前記ＨＤＲ／ＷＣＧビデオデータの前記ブロックの前記クロマ成分のための調整されたオフセットパラメータと、を備える、Ｃ１４に記載のデバイス。
［Ｃ１７］
前記１つまたは複数の調整されたＤＲＡパラメータは、前記ＨＤＲ／ＷＣＧビデオデータの前記ブロックの第１のクロマ成分のための調整されたＤＲＡパラメータと、前記ＨＤＲ／ＷＣＧビデオデータの前記ブロックの第２のクロマ成分のための調整されたＤＲＡパラメータとを備える、Ｃ１４に記載のデバイス。
［Ｃ１８］
前記１つまたは複数の調整されたＤＲＡパラメータは、前記ＨＤＲ／ＷＣＧビデオデータの前記ブロックのルーマ成分のための調整されたＤＲＡパラメータと、前記ＨＤＲ／ＷＣＧビデオデータの前記ブロックの第１のクロマ成分のための調整されたＤＲＡパラメータと、前記ＨＤＲ／ＷＣＧビデオデータの前記ブロックの第２のクロマ成分のための調整されたＤＲＡパラメータとを備える、Ｃ１４に記載のデバイス。
［Ｃ１９］
前記ＨＤＲ／ＷＣＧビデオデータの前記ブロックのための前記１つまたは複数のＤＲＡパラメータを決定するために、前記１つまたは複数のプロセッサは、前記１つまたは複数のＤＲＡパラメータの指示を、前記ＨＤＲ／ＷＣＧビデオデータ中のシンタックス要素として受信するように構成される、Ｃ１４に記載のデバイス。
［Ｃ２０］
前記ＨＤＲ／ＷＣＧビデオデータの前記再構成されたブロックは、前記再構成されたブロックのフィルタリングされたバージョンを備える、Ｃ１４に記載のデバイス。
［Ｃ２１］
前記ＨＤＲ／ＷＣＧビデオデータの前記ブロックのための前記１つまたは複数のＤＲＡパラメータを決定するために、前記１つまたは複数のプロセッサは、前記ＨＤＲ／ＷＣＧビデオデータの前記ブロックのルーマ成分のための量子化パラメータと前記ＨＤＲ／ＷＣＧビデオデータの前記ブロックのクロマ成分のための量子化パラメータとの間の依存性に基づいて、前記ＨＤＲ／ＷＣＧビデオデータの前記ブロックのための前記１つまたは複数のＤＲＡパラメータのうちの少なくとも１つを導出するように構成される、Ｃ１４に記載のデバイス。
［Ｃ２２］
前記ＨＤＲ／ＷＣＧビデオデータの前記ブロックの前記ルーマ成分のための前記量子化パラメータと前記ＨＤＲ／ＷＣＧビデオデータの前記ブロックの前記クロマ成分のための前記量子化パラメータとの間の前記依存性に基づいて、前記ＨＤＲ／ＷＣＧビデオデータの前記ブロックのための前記１つまたは複数のＤＲＡパラメータのうちの前記少なくとも１つを導出するために、前記１つまたは複数のプロセッサは、ＱＰ−ＤＲＡスケール変換（QP to DRA scale conversion）を実行することによって、前記１つまたは複数のＤＲＡパラメータのうちの前記少なくとも１つを導出するように構成される、Ｃ２１に記載のデバイス。
［Ｃ２３］
前記ＨＤＲ／ＷＣＧビデオデータの前記ブロックの前記ルーマ成分のための前記量子化パラメータと前記ＨＤＲ／ＷＣＧビデオデータの前記ブロックの前記クロマ成分のための前記量子化パラメータとの間の前記依存性に基づいて、前記ＨＤＲ／ＷＣＧビデオデータの前記ブロックのための前記１つまたは複数のＤＲＡパラメータのうちの前記少なくとも１つを導出するために、前記１つまたは複数のプロセッサは、ＤＲＡスケール−ＱＰ変換（DRA scale to QP conversion）を実行することによって、前記１つまたは複数のＤＲＡパラメータのうちの前記少なくとも１つを導出するように構成される、Ｃ２１に記載のデバイス。
［Ｃ２４］
前記ルーマ成分のための前記量子化パラメータと前記クロマ成分のための前記量子化パラメータとの間の前記依存性は、コーデックによって定義される、Ｃ２１に記載のデバイス。
［Ｃ２５］
前記１つまたは複数のプロセッサは、
前記ＨＤＲ／ＷＣＧビデオデータ中のシンタックス要素を受信するようにさらに構成され、前記シンタックス要素のための値は、前記ＨＤＲ／ＷＣＧビデオデータの前記ブロックの前記ルーマ成分のための前記量子化パラメータと前記ＨＤＲ／ＷＣＧビデオデータの前記ブロックの前記クロマ成分のための前記量子化パラメータとの間の前記依存性を定義する、
Ｃ２１に記載のデバイス。
［Ｃ２６］
前記デバイスは、ワイヤレス通信デバイスを備え、符号化されたビデオデータを受信するように構成された受信機をさらに備える、Ｃ１４に記載のデバイス。
［Ｃ２７］
前記ワイヤレス通信デバイスは、電話ハンドセットを備え、前記受信機は、ワイヤレス通信規格に従って前記符号化されたビデオデータを備える信号を復調するように構成される、Ｃ２６に記載のデバイス。
［Ｃ２８］
前記デバイスは、ワイヤレス通信デバイスを備え、符号化されたビデオデータを送信するように構成された送信機をさらに備える、Ｃ１４に記載のデバイス。
［Ｃ２９］
前記ワイヤレス通信デバイスは、電話ハンドセットを備え、前記送信機は、ワイヤレス通信規格に従って、前記符号化されたビデオデータを備える信号を変調するように構成される、Ｃ２８に記載のデバイス。
［Ｃ３０］
命令を記憶するコンピュータ可読記憶媒体であって、前記命令は、１つまたは複数のプロセッサによって実行されると、前記１つまたは複数のプロセッサに、
ハイダイナミックレンジおよび／または広色域（ＨＤＲ／ＷＣＧ）ビデオデータのブロックの量子化された変換係数のための量子化パラメータを決定することと、
非量子化変換係数を決定するために、前記決定された量子化パラメータに基づいて前記量子化された変換係数を逆量子化することと、
前記非量子化変換係数に基づいて、前記ＨＤＲ／ＷＣＧビデオデータの前記ブロックのための残差値のブロックを決定することと、
前記残差値のブロックに基づいて、前記ＨＤＲ／ＷＣＧビデオデータの前記ブロックのための再構成されたブロックを決定することと、
前記ＨＤＲ／ＷＣＧビデオデータの前記ブロックのための１つまたは複数のダイナミックレンジ調整（ＤＲＡ）パラメータを決定することと、
１つまたは複数の調整されたＤＲＡパラメータを決定するために、前記決定された量子化パラメータに基づいて前記１つまたは複数のＤＲＡパラメータを調整することと、
前記１つまたは複数の調整されたＤＲＡパラメータを使用して、前記ＨＤＲ／ＷＣＧビデオデータの前記再構成されたブロックに対してＤＲＡを実行することと
を行わせる、コンピュータ可読記憶媒体。
［Ｃ３１］
ハイダイナミックレンジおよび／または広色域（ＨＤＲ／ＷＣＧ）ビデオデータを処理するための装置であって、前記デバイスは、
前記ＨＤＲ／ＷＣＧビデオデータのブロックの量子化された変換係数のための量子化パラメータを決定するための手段と、
非量子化変換係数を決定するために、前記決定された量子化パラメータに基づいて前記量子化された変換係数を逆量子化するための手段と、
前記非量子化変換係数に基づいて、前記ＨＤＲ／ＷＣＧビデオデータの前記ブロックのための残差値のブロックを決定するための手段と、
前記残差値のブロックに基づいて、前記ＨＤＲ／ＷＣＧビデオデータの前記ブロックのための再構成されたブロックを決定するための手段と、
前記ＨＤＲ／ＷＣＧビデオデータの前記ブロックのための１つまたは複数のダイナミックレンジ調整（ＤＲＡ）パラメータを決定するための手段と、
１つまたは複数の調整されたＤＲＡパラメータを決定するために、前記決定された量子化パラメータに基づいて前記１つまたは複数のＤＲＡパラメータを調整するための手段と、
前記１つまたは複数の調整されたＤＲＡパラメータを使用して、前記ＨＤＲ／ＷＣＧビデオデータの前記再構成されたブロックに対してＤＲＡを実行するための手段と、
を備える、装置。